(57)【要約】【課題】本発明は、所定の部材に取り付けられている、塗膜付きのボルトの頭部やナット、また、ステップボルトにおける塗膜付きのナットを挟み込んで締め付け、確実に保持することのできる、ボルト・ナットの締め付け保持具を提供する。【解決手段】本発明に係るボルト・ナットの締め付け保持具は、鉄塔に取り付けられているステップボルトのナット（位置決めナット）を挟み込んで保持する挟持具と、挟持具を開閉させて、ステップボルトのナット（位置決めナット）の挟み込みと開放を実行する操作具と、から構成されている。また、挟持具は、所定の長さの筒部材を分割した一対の半円筒体により構成され、一対の半円筒体の基端部側が軸止されて、一対の半円筒体の先端部側が開閉可能であり、一対の半円筒体の先端部に、テップボルトのナット（位置決めナット）の輪郭形状にほぼ合致した押圧部を形成している。【選択図】図１
2018008361.tif 000002
【特許請求の範囲】
【請求項１】
所定の部材に取り付けられているボルトの頭部やナットを挟み込んで保持する挟持具と、
挟持具を開閉させて、ボルトの頭部やナットの挟み込みと開放を実行する操作具と、から構成されていることを特徴とする、ボルト・ナットの締め付け保持具。
【請求項２】
鉄塔に取り付けられているステップボルトのナット（位置決めナット）を挟み込んで保持する挟持具と、
挟持具を開閉させて、ステップボルトのナット（位置決めナット）の挟み込みと開放を実行する操作具と、から構成されていることを特徴とする、ボルト・ナットの締め付け保持具。
【請求項３】
挟持具は、所定の長さの筒部材を分割した一対の半円筒体により構成され、一対の半円筒体の基端部側が軸止されて、一対の半円筒体の先端部側が開閉可能であり、一対の半円筒体の先端部に、ボルトの頭部やナット、ステップボルトのナット（位置決めナット）の輪郭形状にほぼ合致した押圧部を形成している請求項１または２に記載のボルト・ナットの締め付け保持具。
【請求項４】
一対の半円筒体の先端部に設けている押圧部は、六角形のボルトの頭部やナット、ステップボルトのナット（位置決めナット）の実寸よりも若干大きく形成されている請求項１乃至３のいずれかに記載のボルト・ナットの締め付け保持具。
【請求項５】
一対の半円筒体の先端部に設けている押圧部は、六角形のボルトの頭部やナット、ステップボルトのナット（位置決めナット）において、対向している２辺を強く締め付けるものである請求項１乃至４のいずれかに記載のボルト・ナットの締め付け保持具。
【請求項６】
挟持具は、一対の半円筒体を上下に配置しており、下側の半円筒体は、先端部近傍の下部に操作棒を備えている請求項１乃至５のいずれかに記載のボルト・ナットの締め付け保持具。
【請求項７】
挟持具を開閉させる操作具は、挟持具に被せるように取り付けた環状体を備え、この環状体は、下部に操作棒を備えると共に、内装している挟持具の前後に移動可能である請求項１乃至６のいずれかに記載のボルト・ナットの締め付け保持具。
【請求項８】
操作具の環状体は、下部に操作棒を固定している第１環状体と、第１環状体と連動する第２環状体により構成され、第１環状体の上部は、挟持具を構成している、上方に位置している半円筒体に設けた立設片に軸止されて、第１環状体の下側が挟持具の前後に移動可能である請求項１乃至７のいずれかに記載のボルト・ナットの締め付け保持具。
【請求項９】
第２環状体は、挟持具の先端部側に配置されており、第１環状体に連動して、内装している挟持具の先端部側で前後に移動可能である請求項１乃至８のいずれかに記載のボルト・ナットの締め付け保持具。
【請求項１０】
挟持具を構成する一対の半円筒体は、その先端側部分の周面に、先端部に向けて次第に径を大きくする傾斜面を備えている請求項１乃至９のいずれかに記載のボルト・ナットの締め付け保持具。
【請求項１１】
第１環状体に連動して、第２環状体が挟持具の前方に移動すると、第２環状体の前側の内周面が、挟持具を構成する一対の半円筒体の周面に設けている傾斜面に当たって、一対の半円筒体を閉じる方向に移動させる請求項１乃至１０のいずれかに記載のボルト・ナットの締め付け保持具。
【請求項１２】
挟持具を構成する一対の半円筒体の縁部間に大きい隙間部分と小さい隙間部分を連続して設ける一方、操作具を構成する第２環状体の内部における両端部に対向するように突出棒部材を設け、この両突出棒部材は、一対の半円筒体が閉じている状態では、一対の半円筒体の縁部間に存在する大きい隙間部分に位置し、第１環状体に連動して第２環状体が挟持具の後方に移動すると、第２環状体の両突出棒部材が一対の半円筒体の縁部間に存在する小さい隙間部分に当たって、一対の半円筒体を開く方向に作用する請求項１乃至１１のいずれかに記載のボルト・ナットの締め付け保持具。
【請求項１３】
挟持具の操作棒と、操作具の操作棒の間に弾性部材が配置され、この弾性部材は、両操作棒が離れる方向に付勢している請求項１乃至１２のいずれかに記載のボルト・ナットの締め付け保持具。
【請求項１４】
一対の半円筒体の先端部に設けている押圧部を、開いている状態でボルトの頭部やナット、ステップボルトのナット（位置決めナット）にあてがい、挟持具の操作棒と操作具の操作棒を、作業員の手で握り込んで、第１環状体と第２環状体を挟持具の前方に移動させ、一対の半円筒体を閉じる方向に移動させて、押圧部によりボルトの頭部やナット、ステップボルトのナット（位置決めナット）を強く締め付ける請求項１乃至１３のいずれかに記載のボルト・ナットの締め付け保持具。
【発明の詳細な説明】
【技術分野】
【０００１】
本発明は、所定の部材に取り付けられている、塗膜付きのボルトの頭部やナット、また、ステップボルトにおける塗膜付きのナットを挟み込んで締め付け、確実に保持することのできる、ボルト・ナットの締め付け保持具に関するものである。
【背景技術】
【０００２】
一般的に、架空送電線用の鉄塔や、通信用の鉄塔等を構成する部材には、様々なボルトやナットが多数使用されている。
【０００３】
また、架空送電線用の鉄塔や、通信用の鉄塔等には、ステップボルトも多数使用されている。
【０００４】
このステップボルトは、作業員が鉄塔を昇降する際に使用するもので、例えば、図１４（ａ）に示すように、鉄塔を構成する主柱材Ａに、所定の取付部材Ｂ１・Ｂ２を介して設置している長尺状のアングル部材Ｃに複数の孔Ｄを設け、この孔Ｄを介して、ステップボルトＳを取り付けている。
【０００５】
ステップボルトＳは、図１４（ｂ）に示すように、棒状部材１００の一端側に、作業員が足を掛けるステップ部１０１を形成し、棒状部材１００の他端側に、前記したアングル部材Ｃの孔Ｄに差し込む、ねじ山を形成した差込み部１０２を設けており、この差込み部１０２に位置決めナット１０３と固定ナット１０４を配置している。
【０００６】
そして、図１４（ａ）に示すように、固定ナット１０４を外している状態において、ステップボルトＳの差込み部１０２をアングル部材Ｃの孔Ｄに差し込み、その後、固定ナット１０４を取り付けて、ステップボルトＳをアングル部材Ｃに固定している。
【０００７】
このとき、図１５（ａ）に示すように、アングル部材Ｃにおいて、位置決めナット１０３と固定ナット１０４によりアングル部材Ｃを挟み込んで締め付けることにより、アングル部材ＣにステップボルトＳが固定されるのである。
【０００８】
このステップボルトＳをアングル部材Ｃから取り外す際には、例えば、インパクトレンチ２００、ラチェットレンチ、スパナ３００等を使用している。
【０００９】
具体的な作業としては、例えば、図１５（ｂ）・（ｃ）に示すように、ステップボルトＳの固定ナット１０４にインパクトレンチ２００の先端部をあてがい、固定ナット１０４を緩む方向に回転させるのである。
【００１０】
このとき、所謂「共回り」を防ぐために、図１５（ｂ）・（ｃ）に示すように、ステップボルトＳのステップ部１０１側に配置されている位置決めナット１０３に、例えば、スパナ３００をあてがう。
【００１１】
尚、ステップボルトＳのステップ部１０１側は、所定の長さを有し、ボルトの頭部が存在することから、ステップ部１０１側の位置決めナット１０３には、インパクトレンチ２００やラチェットレンチは、基本的に使用することはできない。
【００１２】
この他、従来においては、所謂「共回り」を防ぐために、特許文献１に示す、所定の共回り防止具が開示されている。
【００１３】
この共回り防止具は、図１６（ａ）・（ｂ）・（ｃ）に示すように、ボルト頭部を嵌合するための穴部１１００を備えたソケット部１０００と、穴部１１００に嵌合されるボルト頭部の嵌合先端面を係止するべく穴部１１００の反開口側に設けられた係止部材１５００と、ソケット部１０００の周面から穴部半径方向外方へ延設されたアーム部２０００と、アーム部２０００に設けられた磁石３０００とを有するように構成されている。
【先行技術文献】
【特許文献】
【００１４】
【特許文献１】特開２００９−３４７３３号公報
【発明の概要】
【発明が解決しようとする課題】
【００１５】
上記したように、ステップボルトＳを取り外す際には、所謂「共回り」を防ぐために、図１５（ｂ）・（ｃ）に示すように、ステップボルトＳのステップ部１０１側に配置されている位置決めナット１０３に、例えば、スパナ３００をあてがうが、この状態でインパクトレンチ２００により固定ナット１０４を緩む方向に回転させると、図１５（ｄ）に示すように、ステップボルトＳを固定している位置決めナット１０３と固定ナット１０４の間隔が次第に大きくなり、両ナット１０３・１０４とアングル部材Ｃとの間に隙間が生じる。
【００１６】
そして、このような隙間が生じると、図１５（ｄ）に示すように、ステップボルトＳが傾いたり、軸方向に移動する等して、ステップボルトＳがぐらついてしまい、位置決めナット１０３にあてがっているスパナ３００が外れてしまう事態が生じていた。
【００１７】
このスパナ３００は、所謂「共回り」を防ぐために、位置決めナット１０３にあてがう物であるが、この「共回り」現象は、下記の要因により生じるものである。
【００１８】
例えば、鉄塔を延命させるために、ステップボルトＳと位置決めナット１０３・固定ナット１０４に防錆塗装が施されることがあり、そのような防錆塗装が施されている場合には、位置決めナット１０３・固定ナット１０４に、塗膜が厚く残っていることが多い。
【００１９】
このような塗膜の存在と、経年や塩害等を原因としてステップボルトＳに生じる錆により、固定ナット１０４を緩める際に、ステップボルトＳも一緒に回ってしまう現象が、所謂「共回り」である。
【００２０】
そして、厚い塗膜や錆の存在により、現実的にステップボルトＳに「共回り」現象が生じるような状況においては、固定ナット１０４を緩める作業自体に、非常に大きな力が必要となる。
【００２１】
そのため、図１５（ｄ）に示すように、ステップボルトＳが傾いたり、軸方向に移動する等して、ステップボルトＳがぐらついてしまうような状況においても、引き続き、電動のインパクトレンチ２００を使用しなければならないのである。
【００２２】
その結果、位置決めナット１０３にあてがっているスパナ３００が頻繁に外れてしまい、ステップボルトＳの取り外し作業に時間を要する事態が生じていた。
【００２３】
また、作業員による活動が種々制約されている鉄塔の高所において、インパクトレンチ２００を操作する固定ナット１０４の回し役と、位置決めナット１０３にあてがっているスパナ３００の押さえ役という２名の作業員が必要となり、作業量が倍増していた。
【００２４】
さらに、２名の作業員により作業を実施した場合であっても、緩めた固定ナット１０４その物や、固定ナット１０４を取り外したステップボルトＳを、誤って落下させてしまう危険性もある。
【００２５】
この他、特許文献１に示す共回り防止具は、防錆塗装が施されて、位置決めナット１０３・固定ナット１０４に、塗膜が厚く残っている場合に、如何に装着して使用するのかについて、何等考慮されていなかった。
【００２６】
そこで、本発明は如上のような従来存した諸事情に鑑み創出されたもので、所定の部材に取り付けられている、塗膜付きのボルトの頭部やナット、また、ステップボルトにおける塗膜付きのナットを挟み込んで締め付け、確実に保持することのできる、ボルト・ナットの締め付け保持具を提供することを目的とする。
【課題を解決するための手段】
【００２７】
本発明に係る請求項１の発明は、所定の部材に取り付けられているボルトの頭部やナットを挟み込んで保持する挟持具と、
挟持具を開閉させて、ボルトの頭部やナットの挟み込みと開放を実行する操作具と、から構成されていることで、上述した課題を解決した。
【００２８】
この請求項１に係るボルト・ナットの締め付け保持具によれば、所定の部材に取り付けられているボルトの頭部やナットを挟み込んで保持する挟持具を備えているので、ボルトの頭部やナットに塗膜が存在している場合であっても、挟持具によりその塗膜ごと挟み込んで、ボルトの頭部やナット保持することができる。
【００２９】
また、ボルトやナットを、挟持具により塗膜ごと挟み込んで保持することにより、取り外したボルトやナットの落下を防止することができる。
【００３０】
さらに、挟持具を開閉させて、ボルトの頭部やナットの挟み込みと開放を実行する操作具を備えているので、挟持具の開閉操作が極めて容易である。
【００３１】
本発明に係る請求項２の発明は、鉄塔に取り付けられているステップボルトのナットを挟み込んで保持する挟持具と、
挟持具を開閉させて、ステップボルトのナットの挟み込みと開放を実行する操作具と、から構成されていることで、同じく、上述した課題を解決した。
【００３２】
この請求項２に係るボルト・ナットの締め付け保持具によれば、鉄塔に取り付けられているステップボルトのナット（位置決めナット）を挟み込んで保持する挟持具を備えているので、ステップボルトのナット（位置決めナット）に塗膜が存在している場合であっても、挟持具によりその塗膜ごと挟み込んで、ステップボルトのナット（位置決めナット）を保持することができる。
【００３３】
また、ステップボルトのナット（位置決めナット）を、挟持具により塗膜ごと挟み込んで保持することにより、取り外したステップボルトの落下を防止することができる。
【００３４】
さらに、挟持具を開閉させて、ステップボルトのナット（位置決めナット）の挟み込みと開放を実行する操作具を備えているので、挟持具の開閉操作が極めて容易である。
【００３５】
本発明に係る請求項３の発明は、挟持具は、所定の長さの筒部材を分割した一対の半円筒体により構成され、一対の半円筒体の基端部側が軸止されて、一対の半円筒体の先端部側が開閉可能であり、一対の半円筒体の先端部に、ボルトの頭部やナット、ステップボルトのナット（位置決めナット）の輪郭形状にほぼ合致した押圧部を形成していることで、同じく、上述した課題を解決した。
【００３６】
この請求項３に係るボルト・ナットの締め付け保持具によれば、挟持具は、所定の長さの筒部材を分割した一対の半円筒体により構成され、一対の半円筒体の基端部側が軸止されて、一対の半円筒体の先端部側が開閉可能であることから、ボルトの頭部やナット、また、ステップボルトのナット（位置決めナット）に塗膜が存在している場合であっても、開いている一対の半円筒体の先端部をボルトの頭部やナットにあてがい、一対の半円筒体の先端部を閉じることにより、塗膜ごと挟み込んで、ボルトの頭部やナットを保持することができる。
【００３７】
同様に、ステップボルトのナット（位置決めナット）も、塗膜ごと挟み込んで、保持することができる。
【００３８】
また、挟持具は、所定の長さの筒部材を分割した一対の半円筒体により構成されていることから、押圧部によりステップボルトのナット（位置決めナット）を塗膜ごと挟み込んだとき、一対の半円筒体の内部に、ステップ部の全体を収容できる。
【００３９】
その結果、所定の部材からステップボルトを取り外したときも、ステップボルトのナット（位置決めナット）を挟み込んで保持している状態と、一対の半円筒体の内部にステップ部の全体を収容している状態が維持されて、取り外したステップボルトが落下してしまう事態の発生を阻止している。
【００４０】
本発明に係る請求項４の発明は、一対の半円筒体の先端部に設けている押圧部は、六角形のボルトの頭部やナット、ステップボルトのナット（位置決めナット）の実寸よりも若干大きく形成されていることで、同じく、上述した課題を解決した。
【００４１】
この請求項４に係るボルト・ナットの締め付け保持具によれば、押圧部は、六角形のボルトの頭部やナット、ステップボルトのナット（位置決めナット）の実寸よりも若干大きく形成されていることから、ボルトの頭部やナット、また、ステップボルトのナット（位置決めナット）に、厚い塗膜が存在している場合であっても、開いている押圧部をあてがい、一対の半円筒体の先端部を閉じることにより、押圧部により厚い塗膜ごと挟み込んで、ボルトの頭部やナット、ステップボルトのナット（位置決めナット）を保持することができる。
【００４２】
本発明に係る請求項５の発明は、一対の半円筒体の先端部に設けている押圧部は、六角形のボルトの頭部やナット、ステップボルトのナット（位置決めナット）において、対向している２辺を強く締め付けるものであることで、同じく、上述した課題を解決した。
【００４３】
この請求項５に係るボルト・ナットの締め付け保持具によれば、一対の半円筒体の先端部に設けている押圧部は、六角形のボルトの頭部やナット、ステップボルトのナット（位置決めナット）において、対向している２辺を強く締め付けるものであることから、ボルトの頭部やナット、ステップボルトのナット（位置決めナット）に厚い塗膜が存在している場合であっても、押圧部により対向している２辺だけを強く締め付けて塗膜ごと挟み込み、六角形のボルトの頭部やナット、ステップボルトのナット（位置決めナット）を保持することができる。
【００４４】
このとき、対向している２辺だけを強く締め付けることから、塗膜が非常に厚い場合には、押圧部の先端部が、ナットの側面に存在している塗膜を削り取りながら進行することもある。
【００４５】
このように、ボルトの頭部やナット、ステップボルトのナット（位置決めナット）の全周を締め付けるのではなく、対向している２辺のみを強く締め付けることで、塗膜が厚く存在している場合であっても、その締め付けと保持を可能としているのである。
【００４６】
本発明に係る請求項６の発明は、挟持具は、一対の半円筒体を上下に配置しており、下側の半円筒体は、先端部近傍の下部に操作棒を備えていることで、同じく、上述した課題を解決した。
【００４７】
この請求項６に係るボルト・ナットの締め付け保持具によれば、挟持具は、一対の半円筒体を上下に配置していることから、一対の半円筒体の内部にステップ部の全体を収容したとき、下側の半円筒体により、ステップ部を受け止めるような状態となり、取り外したステップボルトが落下してしまう事態の発生を阻止している。
【００４８】
また、下側の半円筒体は、先端部近傍の下部に操作棒を備えていることから、この操作棒により、一対の半円筒体を開閉させる操作が可能となる。
【００４９】
本発明に係る請求項７の発明は、挟持具を開閉させる操作具は、挟持具に被せるように取り付けた環状体を備え、この環状体は、下部に操作棒を備えると共に、内装している挟持具の前後に移動可能であることで、同じく、上述した課題を解決した。
【００５０】
この請求項７に係るボルト・ナットの締め付け保持具によれば、挟持具を開閉させる操作具は、挟持具に被せるように取り付けた環状体を備えているので、環状体の内部に挟持具を配置し、環状体と挟持具を一体的に構成して、全体をコンパクトに製作することができる。
【００５１】
また、環状体は、下部に操作棒を備えると共に、内装している挟持具の前後に移動可能であることから、操作棒の操作により、環状体を挟持具の前後に移動させ、挟持具を開閉させることが可能となる。
【００５２】
本発明に係る請求項８の発明は、操作具の環状体は、下部に操作棒を固定している第１環状体と、第１環状体と連動する第２環状体により構成され、第１環状体の上部は、挟持具を構成している、上方に位置している半円筒体に設けた立設片に軸止されて、第１環状体の下側が挟持具の前後に移動可能であることで、同じく、上述した課題を解決した。
【００５３】
この請求項８に係るボルト・ナットの締め付け保持具によれば、操作具の環状体は、下部に操作棒を固定している第１環状体と、第１環状体と連動する第２環状体により構成され、第１環状体の上部は、挟持具を構成している、上方に位置している半円筒体に設けた立設片に軸止されていることから、第１環状体の操作棒を操作して、第１環状体と第２環状体を、挟持具の前後に移動させる事ができる。
【００５４】
本発明に係る請求項９の発明は、第２環状体は、挟持具の先端部側に配置されており、第１環状体に連動して、内装している挟持具の先端部側で前後に移動可能であることで、同じく、上述した課題を解決した。
【００５５】
この請求項９に係るボルト・ナットの締め付け保持具によれば、第２環状体は、挟持具の先端部側に配置されており、第１環状体に連動することから、第１環状体の操作棒を操作して、第２環状体を挟持具の先端部側において前後に移動させる事ができる。
【００５６】
本発明に係る請求項１０の発明は、挟持具を構成する一対の半円筒体は、その先端側部分の周面に、先端部に向けて次第に径を大きくする傾斜面を備えていることで、同じく、上述した課題を解決した。
【００５７】
この請求項１０に係るボルト・ナットの締め付け保持具によれば、挟持具を構成する一対の半円筒体は、その先端側部分の周面に、先端部に向けて次第に径を大きくする傾斜面を備えていることから、この一対の半円筒体に被せるように取り付けている第２環状体の前後の移動により、一対の半円筒体の先端部を開閉させることができる。
【００５８】
本発明に係る請求項１１の発明は、第１環状体に連動して、第２環状体が挟持具の前方に移動すると、第２環状体の前側の内周面が、挟持具を構成する一対の半円筒体の周面に設けている傾斜面に当たって、一対の半円筒体を閉じる方向に移動させることで、同じく、上述した課題を解決した。
【００５９】
この請求項１１に係るボルト・ナットの締め付け保持具によれば、第１環状体に連動して、第２環状体が挟持具の前方に移動すると、第２環状体の前側の内周面が、挟持具を構成する一対の半円筒体の周面に設けている傾斜面に当たって、一対の半円筒体を閉じる方向に移動させるので、一対の半円筒体の先端部により、六角形のボルトの頭部やナット、ステップボルトのナット（位置決めナット）を、強く締め付けることができる。
【００６０】
本発明に係る請求項１２の発明は、挟持具を構成する一対の半円筒体の縁部間に大きい隙間部分と小さい隙間部分を連続して設ける一方、操作具を構成する第２環状体の内部における両端部に対向するように突出棒部材を設け、この両突出棒部材は、一対の半円筒体が閉じている状態では、一対の半円筒体の縁部間に存在する大きい隙間部分に位置し、第１環状体に連動して第２環状体が挟持具の後方に移動すると、第２環状体の両突出棒部材が一対の半円筒体の縁部間に存在する小さい隙間部分に当たって、一対の半円筒体を開く方向に作用することで、同じく、上述した課題を解決した。
【００６１】
この請求項１２に係るボルト・ナットの締め付け保持具によれば、第２環状体の両突出棒部材は、一対の半円筒体が閉じている状態では、一対の半円筒体の縁部間に存在する大きい隙間部分に位置していることから、一対の半円筒体により、六角形のボルトの頭部やナット、ステップボルトのナット（位置決めナット）を締め付ける動作に、何等障害となることはない。
【００６２】
一方、第１環状体に連動して第２環状体が挟持具の後方に移動するときには、第２環状体の両突出棒部材が一対の半円筒体の縁部間に存在する小さい隙間部分に当たって、一対の半円筒体を開く方向に作用するので、第１環状体と第２環状体が挟持具の後方へ移動することにより、一対の半円筒体の先端部が開いている状態を確実に維持できる。
【００６３】
本発明に係る請求項１３の発明は、挟持具の操作棒と、操作具の操作棒の間に弾性部材が配置され、この弾性部材は、両操作棒が離れる方向に付勢していることで、同じく、上述した課題を解決した。
【００６４】
この請求項１３に係るボルト・ナットの締め付け保持具によれば、挟持具の操作棒と、操作具の操作棒の間に弾性部材が配置され、この弾性部材は、両操作棒が離れる方向に付勢していることから、操作具の第１環状体に連動して第２環状体が挟持具の後方に移動している状態が維持されて、一対の半円筒体の先端部が開いている状態を持続することができる。
【００６５】
本発明に係る請求項１４の発明は、一対の半円筒体の先端部に設けている押圧部を、開いている状態でボルトの頭部やナット、ステップボルトのナット（位置決めナット）にあてがい、挟持具の操作棒と操作具の操作棒を、作業員の手で握り込んで、第１環状体と第２環状体を挟持具の前方に移動させ、一対の半円筒体を閉じる方向に移動させて、押圧部によりボルトの頭部やナット、ステップボルトのナット（位置決めナット）を強く締め付けることで、同じく、上述した課題を解決した。
【００６６】
この請求項１４に係るボルト・ナットの締め付け保持具によれば、まず、一対の半円筒体の先端部に設けている押圧部を、開いている状態でボルトの頭部やナット、ステップボルトのナット（位置決めナット）にあてがう。
【００６７】
そして、挟持具の操作棒と操作具の操作棒を、作業員の手で握り込むことにより、第１環状体と第２環状体を挟持具の前方に移動させ、一対の半円筒体を閉じる方向に移動させることにより、押圧部によりボルトの頭部やナットを強く締め付けることができる。
【発明の効果】
【００６８】
本発明に係るボルト・ナットの締め付け保持具により、所定の部材に取り付けられている、塗膜付きのボルトの頭部やナット、また、ステップボルトにおける塗膜付きのナットを、挟持具の押圧部により強く締め付けて、確実に保持することができる。
【００６９】
その結果、例えば、ステップボルトの固定ナットにインパクトレンチの先端部をあてがって固定ナットを緩む方向に回転させたときに、ステップボルトがぐらつくこと無く、挟持具の押圧部によるナット（位置決めナット）の締め付け状態を維持して、所謂「共回り」を防ぎながら、インパクトレンチにより固定ナットを簡単に取り外すことができる。
【００７０】
また、所定の部材からステップボルトを取り外したときは、ステップボルトのナット（位置決めナット）を押圧部により挟み込んで保持している状態と、挟持具の内部にステップ部の全体を収容している状態が維持されて、取り外したステップボルトが落下してしまう事態の発生を阻止することができる。
【００７１】
このように、ステップボルトの取り外し作業を極めて短時間の内に完了して、作業効率を飛躍的に向上させることができる。
【００７２】
また、固定ナットの回し役と、位置決めナットの押さえ役という２名の作業員をそれぞれ配置する必要が無く、単独の作業員により、ステップボルトの取り外し作業を完了できる。
【図面の簡単な説明】
【００７３】
【図１】締め付け保持具を、先端部側から見た構成を示す斜視図である。
【図２】締め付け保持具を、基端部側から見た構成を示す斜視図である。
【図３】締め付け保持具の構成を示す分解斜視図である。
【図４】締め付け保持具の構成を示す分解斜視図である。
【図５】締め付け保持具の構成を示すもので、（ａ）は正面図、（ｂ）は平面図、（ｃ）は側面図である。
【図６】押圧部が閉じている締め付け保持具の構成を示す断面図である。
【図７】押圧部が開いている締め付け保持具の構成を示す断面図である。
【図８】締め付け保持具の使用状態を示すもので、（ａ）は押圧部が開いている締め付け保持具をステップボルトにあてがう状態を示す側面図、（ｂ）はその斜視図である。
【図９】締め付け保持具の使用状態を示すもので、（ａ）は締め付け保持具の押圧部によりステップボルトの位置決めナットを強く締め付けながら、インパクトレンチの先端工具をステップボルトの固定ナットにあてがう状態を示す側面図、（ｂ）はインパクトレンチの先端工具をステップボルトの固定ナットにあてがっている状態を示す側面図、（ｃ）はその斜視図である。
【図１０】締め付け保持具の使用状態を示すもので、（ａ）は締め付け保持具の押圧部によりステップボルトの位置決めナットを強く締め付けながら、インパクトレンチを作動させて、その先端工具内において、固定ナットがステップボルトから外れる方向に移動している状態を示す側面図、（ｂ）はその斜視図である。
【図１１】締め付け保持具の使用状態を示すもので、（ａ）は固定ナットがステップボルトから外れた状態において、締め付け保持具によりステップボルトを引き抜いた状態を示す側面図、（ｂ）はその斜視図である。
【図１２】締め付け保持具の使用状態を示すもので、（ａ）は締め付け保持具の押圧部を開放し、保持しているステップボルトを排出している状態を示す側面図、（ｂ）はその斜視図である。
【図１３】全体を矩形状に形成している締め付け保持具の構成を示すもので、（ａ）は押圧部が閉じている状態を示す斜視図、（ｂ）は押圧部が開いている状態を示す斜視図である。
【図１４】ステップボルトの内容を示すもので、（ａ）はステップボルトの取り付け状態の一例を示す分解斜視図、（ｂ）はステップボルトの構成を示す斜視図である。
【図１５】従来のステップボルトの取り外し手法を示すもので、（ａ）は位置決めナットと固定ナットによりアングル部材を挟み込んで締め付け、ステップボルトを固定している状態を示す側面図、（ｂ）は位置決めナットにスパナをあてがいながら、固定ナットにインパクトレンチの先端部をあてがう状態を示す側面図、（ｃ）は固定ナットにインパクトレンチの先端部をあてがっている状態を示す側面図、（ｄ）はステップボルトがぐらついて、位置決めナットにあてがっているスパナが外れてしまう状態を示す側面図である。
【図１６】特許文献１に示す共回り防止具の構成を示すもので、（ａ）は平面図、（ｂ）（ｃ）は側面図である。
【発明を実施するための形態】
【００７４】
以下に、図面を参照して、本発明の一実施の形態について説明する。
【００７５】
＜実施の形態＞
本発明に係る、ボルト・ナットの締め付け保持具1は、図１・図２に示すように、所定の部材に取り付けられているボルトの頭部やナットを挟み込んで保持する挟持具２と、挟持具２を開閉させて、ボルトの頭部やナットの挟み込みと開放を実行する操作具３と、から構成されている。
【００７６】
また、本発明に係る、ボルト・ナットの締め付け保持具1は、図１・図２に示すように、鉄塔に取り付けられているステップボルトＳのナット（位置決めナット１０３）を挟み込んで保持する挟持具２と、挟持具２を開閉させて、ステップボルトＳのナット（位置決めナット１０３）の挟み込みと開放を実行する操作具３と、から構成されている。
【００７７】
このように、本発明に係る、ボルト・ナットの締め付け保持具1は、所定の部材に取り付けられている、ボルトの頭部やナットを挟み込んで保持することができるものであるが、以下の説明は、一例として、挟持具２により、鉄塔に取り付けられているステップボルトＳのナット（位置決めナット１０３）を挟み込んで保持する場合を想定して行なう。
【００７８】
ステップボルトＳのナット（位置決めナット１０３）を挟み込んで保持する挟持具２は、図３・図４に示すように、所定の長さの筒部材を分割した一対の半円筒体４・５により構成されている。この一対の半円筒体４・５は、互いに上下に配置されており、その基端部側が軸止されて、先端部側が上下方向に開閉可能になっている。
【００７９】
一対の半円筒体４・５は、ステップボルトＳの位置決めナット１０３部分からステップ部１０１の全体を内包できる長さを備えている。また、一対の半円筒体４・５は、全体が閉じている状態において、ステップボルトＳの頭部が通過できる内部空間を備えている。
【００８０】
この一対の半円筒体４・５は、その基端部において、以下の軸止構造を備えている。
【００８１】
上方に位置している半円筒体４の基端部における両側には、図３・図４に示すように、水平部材と下向きに屈曲した部材から成る接続片６が設けられている。この接続片６の下向きに屈曲した部材には、孔７が設けられている。
【００８２】
一方、下方に位置している半円筒体５の基端部における両側には、図４に示すように、水平部材と上向きに屈曲した部材から成る接続片８が設けられている。この接続片８の上向きに屈曲した部材には、孔９が設けられている。
【００８３】
そして、図３・図５（ｂ）（ｃ）に示すように、上方に位置している半円筒体４の基端部における両接続片６の孔７と、下方に位置している半円筒体５の基端部における両接続片８の孔９を合致させ、両接続片６・８の孔７・９に、それぞれボルトの軸部を貫通させてナットにより締め付けて固定している。
【００８４】
また、一対の半円筒体４・５の先端部には、図１・図５（ａ）に示すように、ステップボルトＳのナット（位置決めナット１０３）の輪郭形状にほぼ合致した、押圧部１０を形成している。
【００８５】
この押圧部１０は、位置決めナット１０３に厚い塗膜が存在している場合を想定して、位置決めナット１０３の実寸よりも若干大きくなるように形成されている。具体的には、位置決めナット１０３の実寸よりも、およそ１ミリメートル分、大きくなるように形成されている。
【００８６】
さらに、押圧部１０は、図１・図５（ａ）に示すように、ステップボルトＳの位置決めナット１０３において、対向している２辺を、上下方向から強く締め付けるように形成されている。
【００８７】
具体的には、図１に示すように、半円筒体４の先端部には、位置決めナット１０３の上方に位置している２辺を締め付ける略三角形状の切り欠きと、この略三角形状の切り欠きの両側に連設している短尺な直線状の切り欠きが設けられている。同様に、半円筒体５の先端部には、位置決めナット１０３の下方に位置している２辺を締め付ける略三角形状の切り欠きと、この略三角形状の切り欠きの両側に連設している短尺な直線状の切り欠きが設けられている。
【００８８】
このように、押圧部１０は、ステップボルトＳの位置決めナット１０３の全周を締め付けるのではなく、対向している２辺のみを上下方向から強く締め付けること、また、押圧部１０を形成する切り欠きが、位置決めナット１０３の実寸よりも、およそ１ミリメートル分、大きくなるように形成されていることにより、ステップボルトＳの位置決めナット１０３に厚い塗膜が存在している場合であっても、その締め付けと保持を可能としているのである。
【００８９】
また、位置決めナット１０３に、非常に厚い塗膜が存在している場合には、押圧部１０を形成している切り欠きの端部が、位置決めナット１０３の側面に存在している塗膜を削り取りながら進行することもある。
【００９０】
加えて、ステップボルトＳのナット（位置決めナット１０３）を挟み込んで保持する挟持具２は、図３・図５（ｃ）に示すように、先端部に位置している押圧部１０近傍の下部に、操作棒１１を備えている。
【００９１】
この操作棒１１は、図５（ｃ）に示すように、押圧部１０近傍の下部から下方に向けて延設している短尺部材１１ａ、短尺部材１１ａの下部から側方に向けて延設している短尺部材１１ｂ、短尺部材１１ｂの端部から斜め下方に向けて延設している長尺部材１１ｃにより形成されている。
【００９２】
また、操作棒１１を形成する短尺部材１１ａには、弾性部材１２を挟持具２の基端部側に向けて支持する、固定部材１３を側方に向けて延設している。
【００９３】
さらに、挟持具２を構成する一対の半円筒体４・５において、上方に位置している半円筒体４の基端部には、図３・図４に示すように、板状の立設片１４を設けている。
【００９４】
この立設片１４は、半円筒体４の基端部から上方に向けて延設している垂設板１４ａと、垂設板１４ａの上部から半円筒体４の先端部に向けて延設している横設板１４ｂにより形成されている。この横設板１４ｂには、操作具３を軸止するための孔１５が設けられている。また、垂設板１４ａの上部には、落下防止のためのロープ等を掛け止めするための輪部１６が設けられている。
【００９５】
この他、挟持具２を構成する一対の半円筒体４・５は、図３・図６に示すように、その先端側部分の周面に、先端部に向けて次第に径を大きくする傾斜面２０を備えている。
【００９６】
この傾斜面２０は、図６・図７に示すように、一対の半円筒体４・５の先端部に設けられている押圧部１０の近傍を最大径とし、半円筒体４・５の基端部に向けて次第に径を小さくする所定の長さを有するように形成されている。
【００９７】
前記した挟持具２の押圧部１０による位置決めナット１０３の締め付けは、具体的には操作具３により行なう。
【００９８】
挟持具２を構成する一対の半円筒体４・５を開閉させる操作具３は、図１・図２、図６・図７に示すように、挟持具２に被せるように取り付けた円形の環状体３１を備えている。この環状体３１は、下部に操作棒３２を備えると共に、内装している挟持具２の前後に移動可能に構成されている。
【００９９】
操作具３の環状体３１は、図３に示すように、下部に操作棒３２を固定している円形の第１環状体３３と、第１環状体３３と連動する円形の第２環状体３４により構成されている。
【０１００】
第１環状体３３の上部は、図２に示すように、挟持具２を構成している、上方に位置している半円筒体４に設けた立設片１４に軸止されて、図６・図７に示すように、第１環状体３３の下側（操作棒３２側）が挟持具２の前後に移動可能になっている。
【０１０１】
具体的には、図３に示すように、第１環状体３３の上端部に、上方に向けて垂設板３５を延設しており、この垂設板３５には、軸止用の孔３６が設けられている。そして、半円筒体４の立設片１４の孔１５に、第１環状体３３の垂設板３５の孔３６を合致させ、両孔１５・３６に、それぞれボルトの軸部を貫通させてナットにより締め付けて固定している。
【０１０２】
この第１環状体３３は、図６・図７に示すように、一対の半円筒体４・５の径よりも大きい径を有するように形成されている。また、第１環状体３３に設けている操作棒３２においては、その上端部に、弾性部材１２を挟持具２の先端部側に向けて支持する、固定部材３８を側方に向けて延設している。
【０１０３】
そして、図６・図７に示すように、挟持具２を構成する下側の半円筒体５に設けられている操作棒１１の固定部材１３に、第１環状体３３の固定部材３８が当接するまで、第１環状体３３の下側（操作棒３２側）が挟持具２の前側に移動可能になっている。
【０１０４】
また、弾性部材１２は、挟持具２を構成する半円筒体５に設けられている操作棒１１の固定部材１３と、操作具３を構成する第１環状体３３の固定部材３８により、その両端部が支持されて固定・配置されており、挟持具２の操作棒１１と操作具３の操作棒３２を、離れる方向に付勢している。
【０１０５】
第１環状体３３と連動する円形の第２環状体３４は、図５（ｂ）（ｃ）に示すように、第１環状体３３よりも、その径が小さくなるように形成されている。この第２環状体３４は、図６・図７に示すように、基本的に挟持具２を構成する一対の半円筒体４・５に沿うように移動するものである。
【０１０６】
そして、図６・図７に示すように、第１環状体３３に連動して、第２環状体３４が挟持具２の前方に移動すると、第２環状体３４の前側の内周面が、挟持具２を構成する一対の半円筒体４・５の周面に設けている傾斜面２０に当たって、一対の半円筒体４・５を閉じる方向に移動させる。
【０１０７】
この第２環状体３４は、図３に示すように、所定の長さの接続片４０を介して、第１環状体３３に取り付けられている。
【０１０８】
この接続片４０は、両端部に孔４１を備えている。また、第１環状体３３の左右両端部における周壁には、孔４２を設ける。さらに、第２環状体３４の左右両端部における周壁にも、孔４３を設ける。
【０１０９】
そして、接続片４０の孔４１を、第１環状体３３の孔４２と、第２環状体３４の孔４３に合致させ、所定のボルト部材の軸部を貫通させることにより、第１環状体３３に第２環状体３４を取り付けるのである。
【０１１０】
このとき、図４に示すように、第１環状体３３の孔４２に貫通させるボルト部材の軸部は、短いものとする。一方、第２環状体３４の孔４３に貫通させるボルト部材の軸部は、比較的に長いものとする。
【０１１１】
この第２環状体３４の孔４３に貫通させる、ボルト部材の比較的に長い軸部は、後述する突出棒部材（５０）に相当するものである。
【０１１２】
そして、図３に示すように、挟持具２を構成する一対の半円筒体４・５の縁部間に、大きい隙間部分６０と小さい隙間部分７０を連続して設けておく。
【０１１３】
また、操作具３を構成する第２環状体３４の内部における両端部に、対向するように突出棒部材５０を設ける。この突出棒部材５０は、前記した第２環状体３４の孔４３に貫通させる、ボルト部材の比較的に長い軸部に相当するものである。
【０１１４】
この両突出棒部材５０は、図６に示すように、一対の半円筒体４・５が閉じている状態では、一対の半円筒体４・５の縁部間に存在する大きい隙間部分６０に位置している。
【０１１５】
また、図７に示すように、第１環状体３３に連動して第２環状体３４が挟持具２の後方に移動すると、第２環状体３４の両突出棒部材５０が、一対の半円筒体４・５の縁部間に存在する小さい隙間部分７０に当たって、一対の半円筒体４・５を開く方向に作用している。
【０１１６】
以下に、本発明に係る、ボルト・ナットの締め付け保持具1の使用方法を、詳細に説明する。
【０１１７】
まず、ボルト・ナットの締め付け保持具1は、挟持具２を構成する操作棒１１の固定部材１３と、操作具３を構成する操作棒３２の固定部材３８により、弾性部材１２が支持されて固定されている。
【０１１８】
この弾性部材１２は、挟持具２の操作棒１１と操作具３の操作棒３２を、離れる方向に付勢していることから、通常の状態では、挟持具２の押圧部１０が開いている状態が維持されている。
【０１１９】
この押圧部１０が開いている状態が維持されている締め付け保持具1を、図８（ａ）（ｂ）に示すように、そのまま、ステップボルトＳにあてがう。このとき、ステップボルトＳのステップ部１０１の全体を挟持具２内に収容し、ステップボルトＳの頭部が挟持具２の基端部から突出している状態とする（図９参照）。
【０１２０】
そして、図９（ａ）に示すように、締め付け保持具1の押圧部１０を、ステップボルトＳの位置決めナット１０３にあてがい、挟持具２の操作棒１１と操作具３の操作棒３２を、作業員が手で握り込んで、第１環状体３３と第２環状体３４を挟持具２の前方に移動させ、一対の半円筒体４・５を閉じる方向に移動させて、押圧部１０によりステップボルトＳの位置決めナット１０３を強く締め付ける。
【０１２１】
この状態で、図９（ａ）（ｂ）（ｃ）に示すように、インパクトレンチ２００の先端工具を、ステップボルトＳの固定ナット１０４にあてがい、固定ナット１０４を緩む方向に回転させる。
【０１２２】
すると、図１０（ａ）（ｂ）に示すように、インパクトレンチ２００の先端工具内において、固定ナット１０４が、ステップボルトＳから外れる方向に移動していく。
【０１２３】
そして、インパクトレンチ２００の先端工具内において、固定ナット１０４がステップボルトＳから外れたとき、図１１（ａ）（ｂ）に示すように、インパクトレンチ２００の作動を停止し、同時に、締め付け保持具1の挟持具２により保持しているステップボルトＳをそのまま引き抜く。
【０１２４】
最後に、図１２（ａ）（ｂ）に示すように、作業員が操作棒１１・３２の握り込みを緩めて、挟持具２の押圧部１０を開放し、保持しているステップボルトＳを、所定の工具袋等に収容するのである。
【０１２５】
また、インパクトレンチ２００を介して外したステップボルトＳの固定ナット１０４は、インパクトレンチ２００の先端工具内に収容されているので、この固定ナット１０４も先端工具から取り外して、所定の工具袋等に収容する。
【０１２６】
尚、前記したボルト・ナットの締め付け保持具1は、一対の半円筒体４・５により構成される挟持具２と、第１環状体３３と第２環状体３４により構成される操作具３を、略円形に作成する例について説明したが、本発明は、これに何等限定されることはない。
【０１２７】
例えば、図１３（ａ）（ｂ）に示すように、一対の半円筒体４・５により構成される挟持具２と、第１環状体３３と第２環状体３４により構成される操作具３の全体を、矩形状に作成しても良い。
【産業上の利用可能性】
【０１２８】
本発明は、所定の部材に取り付けられている、塗膜付きのボルトの頭部やナット、また、ステップボルトにおける塗膜付きのナットを挟み込んで締め付け、確実に保持することのできる、ボルト・ナットの締め付け保持具として、種々の作業現場において、幅広く利用されるものである。
【符号の説明】
【０１２９】
１…ボルト・ナットの締め付け保持具
２…挟持具
３…操作具
４…半円筒体
５…半円筒体
６…接続片
７…孔
８…接続片
９…孔
１０…押圧部
１１…操作棒
１１ａ…短尺部材
１１ｂ…短尺部材
１１ｃ…長尺部材
１２…弾性部材
１３…固定部材
１４…立設片
１５…孔
１６…輪部
２０…傾斜面
３１…環状体
３２…操作棒
３３…第１環状体
３４…第２環状体
３５…垂設板
３６…孔
３８…固定部材
４０…接続片
４１…孔
４２…孔
４３…孔
５０…突出棒部材
６０…大きい隙間部分
７０…小さい隙間部分
Ｓ…ステップボルト
Ａ…主柱材
Ｂ１…取付部材
Ｂ２…取付部材
Ｃ…アングル部材
Ｄ…孔
１００…棒状部材
１０１…ステップ部
１０２…差込み部
１０３…位置決めナット
１０４…固定ナット
２００…インパクトレンチ
３００…スパナ
１１００…穴部
１０００…ソケット部
１５００…係止部材
２０００…アーム部
３０００…磁石
【図１】
2018008361.tif 000003
【図２】
2018008361.tif 000004
【図３】
2018008361.tif 000005
【図４】
2018008361.tif 000006
【図５】
2018008361.tif 000007
【図６】
2018008361.tif 000008
【図７】
2018008361.tif 000009
【図８】
2018008361.tif 000010
【図９】
2018008361.tif 000011
【図１０】
2018008361.tif 000012
【図１１】
2018008361.tif 000013
【図１２】
2018008361.tif 000014
【図１３】
2018008361.tif 000015
【図１４】
2018008361.tif 000016
【図１５】
2018008361.tif 000017
【図１６】
2018008361.tif 000018